(57)【要約】【課題】軸受内部精度を管理することなく、馴染み運転時間を短縮すること。【解決手段】円錐ころ８の大端面８ａを内輪６の大鍔面６ａに接触させた時に、円錐ころ８の小端面８ｂと内輪６の小鍔面６ｂとの間にできる隙間に、円錐ころ軸受を潤滑する潤滑剤と相溶性を有するワックス状の物質Ｗが詰め込んである。このワックス状の物質Ｗを詰め込んだことにより、円錐ころ８の大端面８ａは、はじめから大鍔面６ａに当接した状態となっているため、円錐ころ８の遊び（即ち、大鍔面６ａとの隙間）が防止される。これにより、馴染み運転時間を短縮することができる。【選択図】図１
2007309358.tif 000002
【特許請求の範囲】
【請求項１】
外周面に円錐状の内輪軌道面を有する内輪と、
内周面に円錐状の外輪軌道面を有する外輪と、を備え、
内輪軌道面と外輪軌道面との間に保持器で保持した複数の円錐ころを介装した円錐ころ軸受において、
円錐ころの大端面を内輪の大鍔面に接触させた時に、円錐ころの小端面と内輪の小鍔面との間にできる隙間に、円錐ころ軸受を潤滑する潤滑剤と相溶性を有するワックス状の物質が詰め込んであることを特徴とする円錐ころ軸受。
【請求項２】
請求項１において、前記潤滑剤は、潤滑油であり、前記相溶性を有するワックス状の物質は、グリースであることを特徴とする円錐ころ軸受。
【請求項３】
請求項２において、前記ワックス状の物質のグリースの基油は、前記潤滑油と同じ種類の潤滑油であることを特徴とする円錐ころ軸受。
【請求項４】
請求項１において、前記潤滑剤は、グリースであり、前記相溶性を有するワックス状の物質は、潤滑剤のグリースよりちょう度がＮＬＧＩ番号で大きいグリースであることを特徴とする円錐ころ軸受。
【請求項５】
請求項４において、前記ワックス状の物質のグリースの基油は、前記潤滑剤のグリースの基油と同じ種類であることを特徴とする円錐ころ軸受。
【請求項６】
請求項２乃至５のいずれか一項において、前記前記ワックス状の物質のグリースのちょう度は、ＮＬＧＩで４以上であることを特徴とする円錐ころ軸受。
【発明の詳細な説明】
【技術分野】
【０００１】
本発明は、馴染み運転時間を短縮することができる円錐ころ軸受に関する。
【背景技術】
【０００２】
大きなラジアル荷重及びスラスト荷重を同時に支持する転がり軸受として、円錐ころ軸受が広く使用されている。円錐ころ軸受は、使用状態において、円錐ころが大鍔面に向けて移動し、円錐ころの大端面と大鍔面とが当接する。
【０００３】
円錐ころ軸受の予圧設定を行なう際は、馴染み運転により、円錐ころの大端面を大鍔面に当接させた後、予圧を付与する。この馴染み運転が不十分だと、運転初期の段階で、予圧抜け現象が発生する場合がある。また、円錐ころの大端面と大鍔面との間に形成される隙間のばらつきの範囲が大きいと、馴染み運転に時間がかかり、煩雑である。
【０００４】
このようなことから、特許文献１においては、円錐ころの大端面と大鍔面との間に形成される隙間の寸法△Ｌを、０．２ｍｍ以下とすることで、馴染み運転時間を短縮している。
【０００５】
なお、図２は、特許文献１に係る円錐ころ軸受の断面図である。円錐ころ軸受は、図２に示す様に、テーパ状の内方軌道を有する外輪と、テーパ状の外方軌道３を有し、この外方軌道３の小径側端部に小鍔部４を、大径側端部に大鍔部５をそれぞれ形成した内輪６と、保持器７によって内方軌道１と外方軌道３との間に保持案内される複数の円錐ころ８と、から構成している。保持器７は、金属製で、各円錐ころ８の投影面積よりも小さな窓１３を形成した篭形保持器としており、この保持器７を各円錐ころ８のピッチ円径よりも大径としている。この結果、保持器７により保持された複数の円錐ころ８を内輪６の外側に装着した場合、これら複数の円錐ころ８は、内輪６と分離する事なく、一体的に取り扱える状態となる。円錐ころ軸受は、円錐ころ８を内輪６の外方軌道３上の正規位置に配列し、且つ各円錐ころ８の尾部側と小鍔部４とを接触させた場合に各円錐ころ８の頭部側端面と大鍔部５との間に形成される、隙間１２の寸法△Ｌを規制している。即ち、上記隙間１２の寸法△Ｌを０．２mm以下（△Ｌ≦０．２mm）としている。
【特許文献１】特開平１１−８２４９０号公報（特許第３０３９６３８号）
【発明の開示】
【発明が解決しようとする課題】
【０００６】
しかしながら、上述した特許文献１に於いては、隙間寸法△Ｌを管理するには、円錐ころの長さと内径溝幅を管理する必要があり、管理工数が大変であった。
【０００７】
本発明は、上述したような事情に鑑みてなされたものであって、軸受内部精度を管理することなく、馴染み運転時間を短縮することができる、円錐ころ軸受を提供することを目的とする。
【課題を解決するための手段】
【０００８】
上記の目的を達成するため、本発明に係る円錐ころ軸受は、外周面に円錐状の内輪軌道面を有する内輪と、
内周面に円錐状の外輪軌道面を有する外輪と、を備え、
内輪軌道面と外輪軌道面との間に保持器で保持した複数の円錐ころを介装した円錐ころ軸受において、
円錐ころの大端面を内輪の大鍔面に接触させた時に、円錐ころの小端面と内輪の小鍔面との間にできる隙間に、円錐ころ軸受を潤滑する潤滑剤と相溶性を有するワックス状の物質が詰め込んであることを特徴とする。
【０００９】
好適には、前記潤滑剤は、潤滑油であり、前記相溶性を有するワックス状の物質は、グリースである。
【００１０】
また、好適には、前記ワックス状の物質のグリースの基油は、前記潤滑油と同じ種類の潤滑油である。
【００１１】
さらに、好適には、前記潤滑剤は、グリースであり、前記相溶性を有するワックス状の物質は、潤滑剤のグリースよりちょう度がＮＬＧＩ番号で大きいグリースである。
【００１２】
さらに、好適には、前記ワックス状の物質のグリースの基油は、前記潤滑剤のグリースの基油と同じ種類である。
【００１３】
さらに、好適には、前記前記ワックス状の物質のグリースのちょう度は、ＮＬＧＩで４以上である。
【発明の効果】
【００１４】
本発明によれば、軸受内部精度を管理することなく、馴染み運転時間を短縮することができる。
【発明を実施するための最良の形態】
【００１５】
以下、本発明の実施の形態に係る円錐ころ軸受を図面を参照しつつ説明する。
【００１６】
図１は、本発明の実施の形態に係る円錐ころ軸受の断面図である。
【００１７】
円錐ころ軸受は、図１に示す様に、テーパ状の内方軌道１を有する外輪２と、テーパ状の外方軌道３を有し、この外方軌道３の小径側端部に小鍔面６ｂを、大径側端部に大鍔面６ａをそれぞれ形成した内輪６と、保持器７によって内方軌道１と外方軌道３との間に保持案内される複数の円錐ころ８と、から構成している。
【００１８】
保持器７は、金属製であり、各円錐ころ８の投影面積よりも小さな窓１３を形成した篭形保持器としてある。
【００１９】
さて、本実施の形態では、円錐ころ８の大端面８ａを内輪６の大鍔面６ａに接触させた時に、円錐ころ８の小端面８ｂと内輪６の小鍔面６ｂとの間にできる隙間に、円錐ころ軸受を潤滑する潤滑剤と相溶性を有するワックス状の物質Ｗが詰め込んである。
【００２０】
ワックス状の物質Ｗを詰め込んだことにより、円錐ころ８の大端面８ａは、はじめから大鍔面６ａに当接した状態となっているため、円錐ころ８の遊び（即ち、大鍔面６ａとの隙間）が防止される。これにより、馴染み運転時間を短縮することができる。
【００２１】
ワックス状の物質Ｗは、防錆油には溶けず、潤滑油やグリース基油により溶け出ず物質とする。
【００２２】
軸受を装置に固定し予圧を付与した後、軸受使用時に、潤滑油やグリース基油により、ワックス状の物質Ｗは、溶けてなくなってしまうため、軸受使用時には、従来の軸受と全く同じ状態となる。
【００２３】
また、ワックス状の物質Ｗは、ある温度（たとえば４０℃）に達すると、溶ける物質であっても良い。
【００２４】
この場合、軸受を装置に固定し予圧を付与した後、軸受回転による温度上昇により、ワックス状の物質Ｗは、溶けてなくなってしまうため、軸受使用時には、従来の軸受と全く同じ状態となる。
【００２５】
次に、円錐ころ軸受を潤滑する潤滑剤と相溶性を有するワックス状の物質Ｗについて説明する。なお、グリースに関しては、好適には、下記の文献を参照する。参照文献：ホームページ「グリースについて」（http://web.kyoto-inet.or.jp/people/macchann/hiroshi/grease.html  2006/04/17）。
【００２６】
（１）具体的には、円錐ころ軸受の潤滑剤として、潤滑油を用いる場合、ワックス状の物質Ｗとして、グリースを用い、潤滑油と同じ基油とするのが相溶性の点から望ましい。
【００２７】
グリースは、温度によって、結晶、ワックス、液晶、等方性溶液、溶液となる。なお、本明細書では、この状態をグリースのＮＬＧＩ番号で規定した。 
【００２８】
（２）例えば、潤滑油が鉱油なら、ワックス状の物質Ｗとして用いるグリースの基油を鉱油とすることが望ましい。同様に、潤滑油が合成油なら、ワックス状の物質Ｗとして用いるグリースの基油を合成油とすることが望ましい。同じ合成油でも、エステル油とかエーテル油とか種々あるので、合成油の場合は、この種類も合わせることが望ましい。
【００２９】
（３）また、潤滑剤として、グリースを用いる場合、ワックス状の物質Ｗとして用いるグリースとして、潤滑剤として用いられるグリースより硬い（グリースのグレードでＮＬＧＩ番号が大きい）を用い、ワックス状の物質Ｗとして用いるグリースの基油を潤滑剤として用いるグリースの基油と同じ基油とすることが相溶性の点から望ましい。
【００３０】
（４）なお、この基油の組合せは、潤滑油とワックス状の物質Ｗとして用いるグリースの組合せの上記（２）場合と同じである。
【００３１】
（５）さらに、潤滑剤及びワックス状の物質Ｗとしてともにグリースを用いる場合は、増ちょう剤の種類も同じとすることが望ましい。
【００３２】
（６）例えば、増ちょう剤の種類をともに潤滑剤として用いるグリース及びワックス状の物質Ｗとして用いるグリースともに金属石けんとするとか、ウレア系の増ちょう剤とすることが望ましい。
【００３３】
さらに、金属石けんの場合は、リチウム石けん、カルシウム石けん、バリウム石けん及びナトリウム石けん等種々あるが、この金属の種類も同じとすることが望ましい。
【００３４】
（７）潤滑剤としてグリースを用いる場合、ワックス状の物質Ｗとして用いる物質として、潤滑剤として用いられるグリースより硬くするため、グリースのグレードでＮＬＧＩ番号が大きいものを用いる。
【００３５】
（８）上述したホームページにあるように、通常のグリースは、大体「ちょう度＝２」が使用されることが多いので、それよりも硬い３以上のグリースを用いる。
【００３６】
（９）なお、ワックス状の物質Ｗを小鍔面６ｂと円錐ころ８小端面８ｂとの間に詰め込んで、軸受の回転初期に、大鍔面６ａと円錐ころ８の大端面８ａとの遊びをなくすことにより、馴染み運転の時間を短くできるものであり、硬いグリースほど望ましく、ＮＬＧＩ番号で４以上、より望ましくは５以上とする。
【００３７】
なお、本発明は、上述した実施の形態に限定されず、種々変形可能である。
【図面の簡単な説明】
【００３８】
【図１】本発明の実施の形態に係る円錐ころ軸受の断面図である。
【図２】特許文献１に係る円錐ころ軸受の断面図である。
【符号の説明】
【００３９】
１ 内方軌道
２ 外輪
３ 外方軌道
４ 小鍔部
５ 大鍔部
６ 内輪
６ａ 大鍔面
６ｂ 小鍔面
７ 保持器
８ 円錐ころ
８ａ 大端面
８ｂ 小端面
１２ 隙間
１３ 窓
Ｗ ワックス状の物質
【図１】
2007309358.tif 000003
【図２】
2007309358.tif 000004